(57)【要約】【課題】巻き付け物がきちんと取り付けられて安定よく使用できる巻き付け留め具を提供する。【解決手段】側面に長さ方向に延びる割り溝１２が設けられ、横幅が下方に向って逓減する横断面形状をなす棒状の巻き付け部１４と、巻き付け部１４の一端に連設され、側面が巻き付け部１４の側面より径方向に突出した鍔部１６と、鍔部１６の端面に連設された棒状の握り部１８と、巻き付け部１４及び握り部１８の上面に設けられた押え手段２６とを備えた。押え手段２６は、握り部１８の上面に摺動可能に載置される保持体２０と、保持体２０に連設され、かつ鍔部１６及び巻き付け部１４の上面に沿って延びる押え片２２と、保持体２０及び押え片２２を巻き付け部１４の上面に固定する締め具２４とを有する。【選択図】図１
0003121686.tif 000002
【実用新案登録請求の範囲】
【請求項１】
側面に長さ方向に延びる割り溝が設けられ、横幅が下方に向って逓減する横断面形状をなす棒状の巻き付け部と、
前記巻き付け部の一端に連設され、側面が前記巻き付け部の側面より径方向に突出した鍔部と、
前記鍔部の端面に連設された棒状の握り部と、
前記握り部の上面に摺動可能に載置される保持体と前記保持体に連設され、かつ前記鍔部及び前記巻き付け部の上面に沿って延びる押え片と前記保持体及び前記押え片を前記巻き付け部の上面に固定する締め具とを有する押え手段とを備えたことを特徴とする巻き付け留め具。
【請求項２】
請求項１に記載の巻き付け留め具において、
前記押え手段は、
前記握り部を跨ぐＵ字形に形成された板体からなる保持体と、
上下方向に貫通しかつ長さ方向に延びるガイド溝が設けられた押え片と、
前記握り部に設けられた貫通孔と前記押え片に設けられたガイド溝とに挿通されるボルトに、押えナットを螺合してなる締め具とを備えたものであることを特徴とする巻き付け留め具。
【請求項３】
請求項１又は２に記載の巻き付け留め具において、
前記巻き付け部の下面が前記鍔部及び前記握り部の下面より下方に突出していることを特徴とする巻き付け留め具。
【請求項４】
請求項２に記載の巻き付け留め具において、
前記鍔部の側面が前記保持体の側面より径方向に突出していることを特徴とする巻き付け留め具。
【請求項５】
請求項１ないし４のいずれかに記載の巻き付け留め具において、
前記巻き付け部の側面に凹部が設けられていることを特徴とする巻き付け留め具。
【請求項６】
請求項１ないし５のいずれかに記載の巻き付け留め具において、
前記割り溝の終端は、前記鍔部の端面に対して所定の間隔を置いて設けられていることを特徴とする巻き付け留め具。
【考案の詳細な説明】
【技術分野】
【０００１】
本考案は、おもに家庭内のほこりや汚れを拭き取ったり、物品を磨く際に使用するのに好適な巻き付け留め具に関する。
【背景技術】
【０００２】
従来から家庭内で清掃を行う手段としては、通常の電気掃除機を使わないときには、粘着性清掃用紙を巻き付けたロールを転がしてほこりを付着させる手段がある（特許文献１参照）。また、部屋の隅部、箪笥や棚による狭隘部、衣服、靴の中、電気製品等に付着したほこりは、棒状物に不織布等を巻き付け、これで払拭するという手段がある（特許文献２参照）。
【特許文献１】実用新案登録第３０１９８３４号公報
【特許文献２】実用新案登録第３１０３６４９号公報
【考案の開示】
【考案が解決しようとする課題】
【０００３】
ところで、上記した従来の技術には、次のような解決すべき課題があった。
すなわち、上記のロールを用いた場合は、ほこりを簡単に除去できるけれども、部屋の狭隘部では使用できなかった。また上記の棒状物に不織布等を巻き付ける方法では  棒状物に巻き付けるシート状物が長さ方向にずれ易く不安定である。
本考案は以上の点に着目してなされたもので、巻き付け物がきちんと取り付けられて安定よく使用できる巻き付け留め具を提供することを目的とする。
【課題を解決するための手段】
【０００４】
本考案では、衣服に付着した埃、部屋の縁部や隅部、狭隘部等に溜まった埃、本箱等の本や靴の中や電気製品等に付着した埃等を拭き取ったり、台所用品や学習用具等の表面を擦って磨いたり、身体の手の届き難い箇所に薬物等を塗るといった場合等にも、多目的に使用できる。使用時は、巻き付け部に、ガムテープのような粘着テープ、サンドペーパ、ウエットテッシュ、キッチンタオルペーパ、織布、不織布、ガーゼ類、ウエス類等のテープ状あるいはシート状の巻き付け物を巻き付ける。これらの巻き付け物は、その巻き始めの一端を巻き付け部の割り溝に差し込んでから巻き付け、巻き終わりの一端を押え手段で押えることによって巻き付け部に取り付けられる。
本考案の実施例においては、次のような構成により上記の課題を解決する。
〈構成１〉
側面に長さ方向に延びる割り溝が設けられ、横幅が下方に向って逓減する横断面形状をなす棒状の巻き付け部と、上記巻き付け部の一端に連設され、側面が上記巻き付け部の側面より径方向に突出した鍔部と、上記鍔部の端面に連設された棒状の握り部と、上記握り部の上面に摺動可能に載置される保持体と上記保持体に連設され、かつ上記鍔部及び上記巻き付け部の上面に沿って延びる押え片と上記保持体及び上記押え片を上記巻き付け部の上面に固定する締め具とを有する押え手段とを備えたことを特徴とする巻き付け留め具。
【０００５】
鍔部の側面が巻き付け部の側面より突出していることから、巻き付け部に巻き付け物を巻き付ける際に巻き付け物の外縁部が鍔部の端面に押えられて握り部側にずれ込むことがなく、使用時も安定した巻き付け状態を維持する。
押え手段が巻き付け部の上面に取り付けられていることにより、特に狭隘部に差し込んで使用するときに、金属製押え手段が巻き付け部の側面にあるときのように邪魔になったり接触面を傷付けたりすることがない。
押え手段の押え片は、平行移動することから、巻き付け部に巻き付けられた巻き付け物に対し長さ方向に亘ってほぼ一様な押圧力で押えている。このため、巻き付け物を押え片の長さ方向の縁部に沿わせることにより、容易に引き裂くことができる。従って、使用により巻き付け物の汚れた部分を、逐次、押え片に沿って引き裂いて廃棄することができる。
【０００６】
本願実用新案登録請求の範囲の説明中、巻き付け留め具の側面、上面、下方等の上下左右方向を示す用語は、説明の便宜上、図１に示した状態の巻き付け留め具で称しており、使用時における上下左右方向とは関係がない。
【０００７】
〈構成２〉
構成１に記載の巻き付け留め具において、上記押え手段は、上記握り部を跨ぐＵ字形に形成された板体からなる保持体と、上下方向に貫通しかつ長さ方向に延びるガイド溝が設けられた押え片と、上記握り部に設けられた貫通孔と上記押え片に設けられたガイド溝とに挿通されるボルトに、押えナットを螺合してなる締め具とを備えたものであることを特徴とする巻き付け留め具。
【０００８】
押えナットとして蝶ナットを用いると、締め付け等の操作が容易である。押え片を保持するボルトとして長めの六角ボルトを用いると、肉厚の厚い巻き付け物にも対応できる。
【０００９】
〈構成３〉
構成１又は２に記載の巻き付け留め具において、上記巻き付け部の下面が上記鍔部及び上記握り部の下面より下方に突出していることを特徴とする巻き付け留め具。
【００１０】
巻き付け部の下面を払拭面等の処理面に対して当接し易い。
【００１１】
〈構成４〉
構成２に記載の巻き付け留め具において、上記鍔部の側面が上記保持体の側面より径方向に突出していることを特徴とする巻き付け留め具。
【００１２】
Ｕ字形の保持体の側面が鍔部側面より内側に位置するので、留め具を横向きにして払拭面等の処理面に置いたとき、同処理面に対しては保持体の側面よりも鍔部側面が当接するようになる。このため、保持体が金属製であっても保持体の端縁で接触面を傷付けることが防止される。
【００１３】
〈構成５〉
構成１ないし４のいずれかに記載の巻き付け留め具において、上記巻き付け部の側面に凹部が設けられていることを特徴とする巻き付け留め具。
【００１４】
凹部は、巻き付け部の側面に貼り付けられる粘着テープに対して接触面を減少させて粘着テープの粘着力を低減するため、使用後に、巻き付け部の側面からの粘着テープの剥離を容易にする。すなわち、巻き付け物として粘着テープを使用する場合に、ほこりを付着するために、当該テープの粘着面を外表面に向けて巻き付け部に巻き付けるが、その巻き始め端はその粘着面を巻き付け部の側面に貼着する。粘着テープを使い終わったときに、粘着テープの巻き始め端を、凹部が設けられた巻き付け部の側面から簡単かつ綺麗に剥がすことができる。巻き付け部の側面が平坦であると、粘着テープがしっかりと接着してしまう。このため、粘着テープを剥離しようとしてもその一部が残り、美観を損ねることとなる。
【００１５】
〈構成６〉
構成１ないし５のいずれかに記載の巻き付け留め具において、上記割り溝の終端は、上記鍔部の端面に対して所定の間隔を置いて設けられていることを特徴とする巻き付け留め具。
【００１６】
割り溝の終端が鍔部の端面に達していないので、巻き付け物を巻き付け部に巻き付けるときに、鍔部の端面が邪魔にならないので巻き付け易い。また、巻き付け物の端縁が握り部側に若干ずれても鍔部の端面で押えられるので、巻き崩れなくしっかりと巻き付けできる。間隔Ｔは、割り溝の終端が鍔部端面に接しない程度でよく、数ｍｍでよい。
【考案を実施するための最良の形態】
【００１７】
以下、本考案の実施の形態を実施例に基づいて詳細に説明する。
【実施例１】
【００１８】
図１〜図４は実施例１の巻き付け留め具を示す図である。
図に示すように、実施例１の巻き付け留め具は、側面に長さ方向に延びる割り溝１２を有する棒状の巻き付け部１４と、この巻き付け部１４の一端に連設された鍔部１６と、鍔部１６の端面に連設された棒状の握り部１８と、巻き付け部１４、鍔部１６及び握り部１８の各上面に亘って設けられた押え手段２６とを備えている。巻き付け部１４、鍔部１６、握り部１８は木材あるいは樹脂で一体成型されている。押え手段２６は鉄や軽合金等の金属製で、着脱自在に取り付けられるものである。
【００１９】
巻き付け部１４は、割り溝１２によって上下に二股になっており、各先端部１４Ａ、１４Ｂが少し尖っている。巻き付け部１４は、全体的に横断面が上下方向に延び、横断面の横幅が下方に向って逓減する形状をなし、割り溝１２を境界とする下面１４Ｃが船底形をなしている。巻き付け部１４の横幅が下方に向って逓減する横断面形状とは、例えば、後述する図５に示すように、割り溝１２を境界として巻き付け部１４の両側面を下方に向って漸次先細となるように傾斜させた形状である。このような形状とすることにより、留め具の使用時に巻き付け部１４を狭隘部に差し込み易くすると共に、接触面に対しても柔らかく当接する。
【００２０】
なお、本願明細書の説明中、巻き付け留め具の各部品の側面、下面、上面、下方等の上下左右方向を示す用語は、説明の便宜上、図１に示した状態の巻き付け留め具で称しているが、使用時における上下左右方向とは関係がない。
【００２１】
図３（ｂ）に示すように、割り溝１２の終端は、鍔部１６の、巻き付け部１４側の端面１６Ａに対して所定の間隔Ｔを置いて設けられている。この間隔Ｔは、割り溝１２の終端が鍔部端面１６Ａに接しない程度でよく、数ｍｍでよい。
【００２２】
巻き付け部１４の下面は、鍔部１６及び握り部１８の下面より下方に突出している。すなわち、図３（ｂ）に示すように、巻き付け部１４を真横から見たときに、巻き付け部１４の長さ方向に沿う下面１４Ｃが段部１４Ｄを形成するように、鍔部１６及び握り部１８の各下面より下方に突出している。
【００２３】
巻き付け部１４の一側面には複数の凹部４４が長さ方向に沿って連続的に設けられている。これらの凹部４４は、例えば、巻き付け部１４に巻き付けられる巻き付け物として粘着テープを使用する場合に有用なものである。すなわち、巻き付け部１４の側面に貼り付けられる粘着テープに対して接触面を減少させて粘着テープの粘着力を低減するためのものである。凹部４４は、巻き付け部１４の両側面に設けられてもよい。
【００２４】
鍔部１６は、側面が巻き付け部１４及び握り部１８の各側面より径方向に突出しており、巻き付け部１４と握り部１８とを仕切る形で設けられている。図３（ｂ）に示すように、鍔部１６の上面は、巻き付け部１４及び握り部１８の各上面とほぼ同一面である。
【００２５】
鍔部１６の側面が巻き付け部１４の側面より突出していることから、巻き付け部１４に巻き付け物を巻き付ける際に巻き付け物の外縁部が鍔部１６の端面１６Ａに押えられて握り部１８側にずれ込むことがなく、留め具の使用時も安定した巻き付け状態を維持する。
【００２６】
押え手段２６は、握り部１８の上面に摺動可能に載置される保持体２０と、この保持体２０に連設され、かつ鍔部１６及び巻き付け部１４の上面に沿って延びる押え片２２と、保持体２０及び前記押え片２２を巻き付け部１４の上面に固定する締め具２４とを有している。
【００２７】
保持体２０は握り部１８を跨ぐＵ字形に湾曲形成された板体である。押え片２２は、開口面を下向きにしたコ字形横断面を呈する細長部材からなり、上面が貫通されて長さ方向に延びるガイド溝３２が設けられている。押え片２２の底面に、長さ方向に沿って連続する波形の凹溝２２Ａが設けられている。保持体２０と押え片２２は連結され一体に形成されている。締め具２４は、六角ボルト３６に、操作性のよい蝶ナット３８を螺合したものである。
【００２８】
六角ボルト３６は、握り部１８に設けられた上下方向に貫通する貫通孔３４（図３（ａ））と、押え片２２に設けられたガイド溝３２とに挿通されて取り付けられている。六角ボルト３６の頭部４０は、握り部１８底面の鍔部１６近傍に設けられた嵌め込み用溝４２に嵌め込まれて回転しないように固定される。
【００２９】
握り部１８の中間部に上下方向に貫通する貫通孔３５が設けられている。この貫通孔３５の使用目的は任意である。例えば、留め具を吊して保管するための紐を取り付けたり、あるいは、留め具の使用時に針金を差し込んで折り曲げて握り部１８の後方に伸ばすことにより、握り部１８を延長させた形とすることができる。
【００３０】
図５は同巻き付け留め具の使用例を示す図で、図１に示した巻き付け部１４の中間部における横断面図である。
使用時に、巻き付け物がガムテープのような粘着テープの場合、ほこりを付着するために、当該テープの粘着面を外面に向けて巻き付け部に巻き付ける。図５に示すように、粘着テープ４６の一端近傍を割り溝１２に差し込み、その一方の巻き始め端４６Ａを、その粘着面を巻き付け部１４の、凹部４４を有する側の側面に貼着する。次いで、粘着テープ４６の反対側を、その粘着面が外側に向けるように巻き付け部１４に巻き付け、巻き終わりの一端を押え手段２６の押え片２２で押えることによって巻き付け部１４に取り付けられる。粘着テープを使い終わったときに、粘着テープの巻き始め端を、凹部４４が設けられた巻き付け部１４の側面から簡単かつ綺麗に剥がすことができる。
【００３１】
押え片２２は、巻き付け部１４に巻き付けられた巻き付け物に対し長さ方向に亘って一様な押圧力で押えている。このため、巻き付け物を押え片２２の長さ方向の縁部に沿わせることにより、容易に引き裂くことができる。引き裂く際に、締め具２４を緩めて押え片２２を少し浮上させて巻き付け物の終端部を巻き付け部１４から引き離してから押え片２２で押え直すとよい。使用により巻き付け物の汚れた部分を、逐次、押え片２２に沿って引き裂いて廃棄することができる。押え片２２は、巻き付け部１４に対して平行移動するので、肉厚の厚い巻き付け物でも一様な押圧力で押えることができる。押え片２２の底面に設けられた波形の凹溝２２Ａによって、巻き付け部１４に巻き付けられた巻き付け物をしっかり押えることができる。
【００３２】
押え片２２を保持するボルト３６としては、肉厚の厚い巻き付け物にも対応できるように、長めの六角ボルトを用いるとよい。
押え手段２６が巻き付け部１４の上面に取り付けられていることにより、特に狭隘部のほこりをとるときに、押え手段２６が巻き付け部１４の側面にあるときのように邪魔になったり接触面を傷付けたりすることがない。
【図面の簡単な説明】
【００３３】
【図１】実施例１の巻き付け留め具を示す斜視図である。
【図２】同巻き付け留め具を示す図で、（ａ）は平面図、（ｂ）は底面図である。
【図３】同巻き付け留め具を、押え手段を取り外した状態で示す図で、（ａ）は平面図、（ｂ）は側面図である。
【図４】同巻き付け留め具の押え手段を示す図で、（ａ）は平面図、（ｂ）は側面図である。
【図５】同巻き付け留め具の使用例を示す横断面図である。
【符号の説明】
【００３４】
１２  割り溝
１４  巻き付け部
１６  鍔部
１８  握り部
２０  保持体
２２  押え片
２４  締め具
２６  押え手段
３２  ガイド溝
３４  貫通孔
３６  ボルト
３８  押えナット
４０  ボルト頭部
４２  嵌め込み用溝
４４  凹部
４６  粘着テープ
【図１】
0003121686.tif 000003
【図２】
0003121686.tif 000004
【図３】
0003121686.tif 000005
【図４】
0003121686.tif 000006
【図５】
0003121686.tif 000007